(57)【要約】【課題】  電子カルテシステムに登録された看護師による看護実施情報のうち、医師の指示とは異なる処置が実施された看護実施情報の確認を、医師が効率的に行えるようにする【解決手段】  看護師による看護実施情報の登録が行われると、その実施情報と医師の指示情報が一致しているかを判断し、一致していないものについては、その不一致情報を記憶装置に記憶させておき、医師が電子カルテの確認処理を行う際に、まずその不一致情報に基づいて、確認すべきデータをリスト表示させる。【選択図】図９
2010157168.tif 000002
【特許請求の範囲】
【請求項１】
医師からの患者に対する看護指示情報の入力を受け付ける第１の入力受付手段と、
看護師からの患者に対して、前記看護指示に応じて実施した看護実施情報の入力を受け付ける第２の入力受付手段と、
前記第１の入力受付手段で受け付けた看護指示情報と、前記第２の入力受付手段で受け付けた看護実施情報とを関連付けて記憶する記憶手段と、
前記医師からの看護実施結果参照要求を受け付けた場合に、前記記憶手段から、前記看護指示情報と、前記看護実施情報とが異なる情報を抽出する抽出手段と、
前記抽出手段で抽出された情報を表示する表示手段と
を備えることを特徴とする情報処理装置。
【請求項２】
前記表示手段は、前記抽出手段で抽出された前記看護指示情報と、前記看護実施情報とが異なる情報をリスト表示し、前記リスト画面で一の情報が選択された場合に、前記看護指示情報と、前記看護実施情報とを対象表示した確認画面を表示すること
を特徴とする請求項１に記載の情報処理装置。
【請求項３】
前記表示手段は、前記確認画面で  前記看護指示情報と、前記看護実施情報とが異なっている箇所を他の表示とは異ならせて表示すること
を特徴とする請求項２に記載の情報処理装置。
【請求項４】
前記看護実施情報を記載した用紙に対してスキャナによる読み取り処理を指示する指示手段と、
前記指示手段に応じたスキャナによる読み取り処理の結果生成された画像データに対する文字認識処理を行う文字認識手段と、をさらに備え、
前記第２の受付手段は、前記文字認識処理の結果得られた情報を前記看護実施情報として受け付けること
を特徴とする請求項１乃至３のいずれか１項に記載の情報処理装置。
【請求項４】
医師からの患者に対する看護指示情報の入力を受け付ける第１の入力受付工程と、
看護師からの患者に対して、前記看護指示に応じて実施した看護実施情報の入力を受け付ける第２の入力受付工程と、
前記第１の入力受付工程で受け付けた看護指示情報と、前記第２の入力受付工程で受け付けた看護実施情報とを関連付けて記憶装置に記憶する記憶工程と、
前記医師からの看護実施結果参照要求を受け付けた場合に、前記記憶装置から、前記看護指示情報と、前記看護実施情報とが異なる情報を抽出する抽出工程と、
前記抽出工程で抽出された情報を表示する表示工程と
を備えることを特徴とする情報処理方法。
【請求項５】
コンピュータを、
医師からの患者に対する看護指示情報の入力を受け付ける第１の入力受付手段と、
看護師からの患者に対して、前記看護指示に応じて実施した看護実施情報の入力を受け付ける第２の入力受付手段と、
前記第１の入力受付手段で受け付けた看護指示情報と、前記第２の入力受付手段で受け付けた看護実施情報とを関連付けて記憶する記憶手段と、
前記医師からの看護実施結果参照要求を受け付けた場合に、前記記憶手段から、前記看護指示情報と、前記看護実施情報とが異なる情報を抽出する抽出手段と、
前記抽出手段で抽出された情報を表示する表示手段と
して機能させることを特徴とするコンピュータプログラム。
【発明の詳細な説明】
【技術分野】
【０００１】  本発明は、電子カルテシステムへのデータの登録に関し、特に看護師が行った処置のデータの容易に入力させるとともに、看護師が医師の指示とは異なる処置を行った場合に医師に好適にその処置内容を通知することが可能な技術に関する。
【背景技術】
【０００２】  病院や診療所等において、患者の診療歴の管理に電子カルテシステムが広く用いられている。電子カルテシステムでは、患者の病歴や、医師による診察履歴などが一元管理されており、医師や看護師は、情報を閲覧したい患者を指定することで、患者のそれら情報を確認することが可能となっている。【０００３】  また、電子カルテシステムを使用して、医師から看護師に対する入院患者の看護指示なども行われている。そして、医師の指示に基づき実施した看護実施情報についても電子カルテシステムに登録することが一般的であり、これら情報は看護師によって登録されることになる。【０００４】  この情報の登録であるが、特に看護師による看護実施情報等は、看護を行ってすぐにコンピュータから情報を登録することは稀であり、その日実施した看護の情報をメモ等に書き留めておき、そして、そのメモをとっておいた情報を空いている時間にまとめて入力することが一般的である。そこで、特許文献１に開示されている発明では、用紙に手書きされた情報をスキャナで読み取り、電子カルテシステムに登録する技術が開示されている。この発明によれば、医師や看護師は、予めカルテやメモに書き留めておいた情報をコンピュータシステムに入力する手間が省けるので、業務の効率化を図ることが可能となっている。
【特許文献１】特開２００７−２８０２０５
【発明の開示】
【発明が解決しようとする課題】
【０００５】  特許文献１の発明によれば、確かに電子カルテに情報の登録処理を効率的に行うことが可能であるが、登録されたデータの確認を行うところまでは考慮されていない。看護師による看護処置は、医師がいる場で行われていない場合も多く、医師としては当然看護師が患者に対して行った処置を確認する必要がある。【０００６】  看護師が患者に対して行う処置は、通常医師の指示に基づき行われるが、検温等の検査の結果に応じて看護師の判断で医師の指示とは異なる処置を実施する場合もある。そのような際には、医師にその情報をきちんと確認させる必要がある。【０００７】  しかし、従来の電子カルテシステムは、どの患者に対して医師の指示と異なる処置がされたかを判断するためには、患者の電子カルテ情報を１件１件表示させ、その内容を確認しなければならず、効率が非常に悪かった。【０００８】  そこで、本発明は、上記した課題に鑑み、医師の看護指示とは異なる処置を行った看護師による看護実施情報を医師に好適に確認させるための情報処理装置、情報処理方法、及びプログラムを提供することを目的とする。
【課題を解決するための手段】
【０００９】  上記の目的を達成するために、本発明の情報処理装置は以下の構成を備える。即ち、
医師からの患者に対する看護指示情報の入力を受け付ける第１の入力受付手段と、
看護師からの患者に対して、前記看護指示に応じて実施した看護実施情報の入力を受け付ける第２の入力受付手段と、
前記第１の入力受付手段で受け付けた看護指示情報と、前記第２の入力受付手段で受け付けた看護実施情報とを関連付けて記憶する記憶手段と、
前記医師からの看護実施結果参照要求を受け付けた場合に、前記記憶手段から、前記看護指示情報と、前記看護実施情報とが異なる情報を抽出する抽出手段と、
前記抽出手段で抽出された情報を表示する表示手段と
を備えることを特徴とする。【００１０】  上記の目的を達成するために、本発明の情報処理方法は以下の構成を備える。即ち、
医師からの患者に対する看護指示情報の入力を受け付ける第１の入力受付工程と、
看護師からの患者に対して、前記看護指示に応じて実施した看護実施情報の入力を受け付ける第２の入力受付工程と、
前記第１の入力受付工程で受け付けた看護指示情報と、前記第２の入力受付工程で受け付けた看護実施情報とを関連付けて記憶装置に記憶する記憶工程と、
前記医師からの看護実施結果参照要求を受け付けた場合に、前記記憶装置から、前記看護指示情報と、前記看護実施情報とが異なる情報を抽出する抽出工程と、
前記抽出工程で抽出された情報を表示する表示工程と
を備えることを特徴とする。【００１１】  上記の目的を達成するために、本発明のコンピュータプログラムは以下の構成を備える。即ち、
コンピュータを、
医師からの患者に対する看護指示情報の入力を受け付ける第１の入力受付手段と、
看護師からの患者に対して、前記看護指示に応じて実施した看護実施情報の入力を受け付ける第２の入力受付手段と、
前記第１の入力受付手段で受け付けた看護指示情報と、前記第２の入力受付手段で受け付けた看護実施情報とを関連付けて記憶する記憶手段と、
前記医師からの看護実施結果参照要求を受け付けた場合に、前記記憶手段から、前記看護指示情報と、前記看護実施情報とが異なる情報を抽出する抽出手段と、
前記抽出手段で抽出された情報を表示する表示手段と
して機能させることを特徴とする。
【発明の効果】
【００１２】  本発明によれば、看護師による看護実施情報の登録が行われると、その実施情報と医師の指示情報が一致しているかを判断し、一致していないものについては、その不一致情報を記憶装置に記憶させておき、医師が電子カルテの確認処理を行う際に、まずその不一致情報に基づいて、確認すべきデータをリスト表示させることが可能となり、もって、医師に電子カルテの確認処理を好適に行わせることが可能となる。
【発明を実施するための最良の形態】
【００１３】  以下、図面を参照して本発明の実施形態の一例について説明する。【００１４】  図１は、本発明における電子カルテシステムのシステム構成の一例を示す図である。図中１０１は管理サーバであって、電子カルテシステムで行われる各種の処理で用いられるマスタデータを記憶管理するサーバ装置である。１０２−１、１０２−２はクライアント装置（以下、まとめてクライアント装置１０２とする）であって、医師や看護師が電子カルテシステムに各種の情報を登録するために用いる情報処理装置である。クライアント装置１０２にはそれぞれ、後述する図３から図７に示す処理を実行するためにアプリケーションプログラムがインストールされている。【００１５】  １０３はプリンタであって、後述する看護ワークシートの印刷出力に用いられる印刷装置である。１０４はスキャナであって、看護ワークシートに記載された処置情報を電子カルテシステムに登録するために用いられる読み取り装置である。１０５は複合機であって、プリンタ及びスキャナの機能を備えた装置である。１０６は上記装置を相互に通信可能に接続するローカルエリアネットワークである。【００１６】  以下、図２を用いて、図１に示したクライアント装置に適用可能な情報処理装置のハードウェア構成について説明する。・図２は、図１に示したクライアント端末に適用可能な情報処理装置のハードウェア構成を示すブロック図である。【００１７】  図２において、２０１はＣＰＵで、システムバス２１２に接続される各デバイスやコントローラを統括的に制御する。また、ＲＯＭ２０３あるいは外部メモリ２０９には、ＣＰＵ２０１の制御プログラムであるＢＩＯＳやオペレーティングシステムプログラム（以下、ＯＳ）や、各サーバ或いは各ＰＣの実行する機能を実現するために必要な後述する各種プログラム等が記憶されている。【００１８】  ２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２０９からＲＡＭ２０２にロードして、該ロードしたプログラムを実行することで各種動作を実現するものである。【００１９】  また、２０４は入力制御部で、キーボードや不図示のマウス等のポインティングデバイス等で構成される入力部２０５からの入力を制御する。２０６は表示制御部で、ＣＲＴディスプレイや液晶ディスプレイ等からなる表示部２０７への表示を制御する。２０６は外部メモリ制御部で、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２０９へのアクセスを制御する。【００２０】  ２１０は外部機器Ｉ／Ｆで、周辺機器をクライアント装置１０２に接続させるためものポートである。クライアント装置１０２は、この外部機器Ｉ／Ｆ２１０を介して、周辺機器とのデータ通信を行う。外部機器Ｉ／Ｆ２１０は、ＵＳＢやＩＥＥＥ１３９４等により構成されており、通常複数の外部機器Ｉ／Ｆ２１０を有する。周辺��器との接続形態は有線／無線を問わない。尚、図１のプリンタ１０３やスキャナ１０４は、この外部機器Ｉ／Ｆ２１０を介してクライアント装置１０２と接続しても勿論構わない。【００２１】  ２１１は通信制御部で、ネットワーク（例えば、図１に示したＬＡＮ１０６）を介して外部機器と接続・通信するものであり、ネットワークでの通信制御処理を実行する。例えば、ＴＣＰ／ＩＰを用いた通信等が可能である。以上が、図１のクライアント装置１０２のハードウェア構成の一例である。【００２２】  尚、クライアント装置１０２のハードウェア構成は、図２に示した構成を有するとして説明するが、必ずしも同図の構成を有することに限定するものではなく、クライアント装置１０２が行う後述の各種処理を実行可能であれば、クライアント装置１０２の構成は適宜変更しても良い。【００２３】  図３は、本発明における第１の制御処理の一例を示すフローチャートであり、クライアント端末１０２によって行われる全体的な処理の概要を示すフローチャートに対応する。なお、このフローチャートの処理はクライアント装置１０２のＣＰＵ２０１が外部メモリ２０９に格納されるプログラムをＲＡＭ２０２にロードして実行することにより実現される。【００２４】  クライアント装置１０２のＣＰＵ２０１は、入力部２０５からのユーザ操作指示に基づき、看護指示入力要求を受け付けたかを判断する（ステップＳ３０１）。看護指示入力要求を受け付けたと判断した場合には（ステップＳ３０１でＹＥＳ）、ステップＳ３０２に処理を進め、看護指示（看護オーダ）入力処理を行う。尚、この処理の詳細については、図４を参照して後述する。【００２５】  クライアント装置１０２のＣＰＵ２０１は、入力部２０５からのユーザ操作指示に基づき、看護ワークシート出力要求を受け付けたかを判断する（ステップＳ３０３）。看護ワークシート出力要求を受け付けたと判断した場合には（ステップＳ３０３でＹＥＳ）、ステップＳ３０４に処理を進め、看護ワークシート出力処理を行う。尚、この処理の詳細については、図５を参照して後述する。【００２６】  クライアント装置１０２のＣＰＵ２０１は、入力部２０５からのユーザ操作指示に基づき、看護結果登録要求を受け付けたかを判断する（ステップＳ３０５）。看護結果登録要求を受け付けたと判断した場合には（ステップＳ３０５でＹＥＳ）、処理をステップＳ３０６に進め、看護結果登録処理を行う。尚、この処理の詳細については、図６を参照して後述する。【００２７】  クライアント装置１０２のＣＰＵ２０１は、入力部２０５からのユーザ操作指示に基づき、看護結果確認要求を受け付けたかを判断する（ステップＳ３０７）。看護結果確認要求を受け付けたと判断した場合には（ステップＳ３０７でＹＥＳ）、処理をステップＳ３０８に進め、看護結果確認処理を行うことになる（ステップＳ３０８）。尚、この処理の詳細については、図７を参照して後述する。【００２８】  以上が、クライアント端末１０２によって行われる全体的な処理の概要である。尚、クライアント装置１０２は、本処理を行うためのプログラムの制御による処理の処理を実行している間、看護指示入力要求、看護ワークシート出力要求、看護結果登録要求、���び看護結果確認要求を常時受け付けている。そして、それら要求を受け付けた場合に、その要求に応じた処理を行うことになる。【００２９】  図４は、本発明における第２の制御処理の一例を示すフローチャートであり、図３のステップＳ３０２の看護指示入力処理の詳細を示すフローチャートに対応する。なお、このフローチャートの処理はクライアント装置１０２のＣＰＵ２０１が外部メモリ２０９に格納されるプログラムをＲＡＭ２０２にロードして実行することにより実現される。尚、この処理は医師の入力部２０５操作による、看護指示入力要求に応じて行われる処理である。【００３０】  クライアント装置１０２のＣＰＵ２０１は、看護指示入力要求を受け付けると、図８に示す看護指示入力画面８００を表示部２０７に表示させ、患者指定の入力を受け付ける（ステップＳ８０１）。【００３１】  図８は、看護指示入力画面８００の詳細を示す図である。この画面は医師による入院患者の看護指示の入力に使用され、この画面を介して入力された看護指示に基づいて看護師は入院患者の処置を行うことになる。【００３２】  図中、８０１は患者情報入力欄であって、介護指示を行う患者の患者情報（例えば氏名や患者ＩＤなど）を入力するする入力欄である。８０２は患者検索ボタンであって、このボタンが押下されると不図示の患者検索画面が表示され、看護指示を行う患者の検索を行うことが可能である。この不図示の患者検索画面での検索処理により看護指示を行う患者として特定された患者の情報は、患者情報入力欄８０１に入力されることになる。【００３３】  ８０３は担当看護師表示欄であって、患者情報入力欄８０１の担当看護師の情報が表示される。尚、この対応関係は不図示の患者マスタ情報に登録されており、担当看護師情報は、患者情報入力欄８０１に入力された患者情報に基づき患者マスタ情報を検索することにより取得される。【００３４】  ８０４は処置日入力欄であって、患者情報入力欄８０１に入力された患者に対して処置をする日を入力する入力欄である。初期値としては、例えば入力を行う翌日の日付が入力されている。【００３５】  ８０５は処置種類指定部であって、看護師に対して指示する処置の種類を指定する指定部である。尚、この処置種類指定部の指定に基づいて処置詳細指定部に表示される内容が変わる。以下、処置詳細入力部の説明については処方が選択された場合の表示項目について説明する。【００３６】  ８０６は薬品入力欄であって、患者に処方する薬品の情報を入力する入力欄である。８０７は薬品検索ボタンであって、このボタンが押下されると不図示の薬品検索画面が表示され、患者に対して処方する薬品の検索を行うことが可能である。この不図示の薬品検索画面での検索処理により患者に処方を行うとして特定された薬品の情報は、薬品入力欄８０６に入力されることになる。【００３７】  ８０８は容量入力欄であって、薬品指定欄８０６に入力された薬品を処方する容量の指定を入力する入力欄である。８０９は用法入力欄であって、薬品指定欄８０６で指定された薬品の用法を入力する入力欄である。【００３８】  ８１０はコメントボタンであって、このボタンが押下されると不図示のコメント入力画面が表示され、本処置に��するコメントの入力が可能となる。８１１は追加ボタンであって、図中の指示内容入力部の各コントロールに入力された内容で、処置指示を確定させ看護指示情報として管理サーバ１０１に記憶されている不図示の看護指示情報テーブルに登録する。尚、登録後は指示内容入力欄の表示がクリアされ、新たな看護指示情報が入力可能になる。登録された看護指示情報は後述する看護指示表示欄８１２に表示される。【００３９】  ８１２は登録済み看護指示表示欄であって、すでに当該患者に対して医師が行った看護指示の情報が表示されている。８１３は変更ボタンであって、すでに看護指示を行った処置の変更指示をクライアント装置１０２に対して行うためのボタンである。このボタンの押下を受け付けると、クライアント装置１０２のＣＰＵ２０１は、すでに登録されている処置情報を指示内容入力部に表示させ、変更の入力を受け付けることになる。８１４は削除ボタンであって、すでに看護指示を行った処置の削除指示をクライアント装置１０２に対して行うためのボタンである。【００４０】  ８１５は他患者ボタンであって、このボタンが押下されると表示内容がクリアされ、情報処理装置１０２を操作する医師は、他患者に対する看護指示の入力を引き続き行うことが可能である。８１６は終了ボタンであって、このボタンが押下されるとこの画面の表示を終了する。以上が図８に示す看護指示入力画面８００の詳細な説明ある。【００４１】  図４の説明に戻る。ステップＳ４０１で患者の指定を受け付けた後に、当該患者に対して行う処置の種類（処方・注射・検査（検体検査等））の入力を受け付ける（ステップＳ４０２）。具体的には、図８の処置種類指定部８０５の「処方」、「注射」、「検査」のいずれかの選択入力を受け付けることになる。その後、受け付けた処置の種類に応じて図８の処置詳細入力部の表示が切り替わるので、指定された処置に応じた処置の詳細情報の入力を受け付けることになる（ステップＳ４０３）。【００４２】  そしてその後、図８の追加ボタン８１１が押下された場合には（ステップＳ４０４でＹＥＳ）、入力された看護指示情報を管理サーバ１０１で管理されている不図示の看護指示情報テーブルに登録する（ステップＳ４０５）。その後、当該患者に対する他の看護指示の入力要求を受け付けた場合には（ステップＳ４０６でＹＥＳ）、処理をステップＳ４０２に移行させ、ステップＳ４０２からステップＳ４０５の処理を繰り返す。【００４３】  図８の他患者ボタン８１５が押下されることにより、他の患者に対する看護情報の入力要求を受け付けた場合には（ステップＳ４０７でＹＥＳ）、処理をステップＳ４０１に移行させ、ステップＳ４０１からステップＳ４０６の処理をくり返す。以上が図３のステップＳ３０２の看護指示入力処理の詳細な説明である。【００４４】  図５は、本発明における第３の制御処理の一例を示すフローチャートであり、図３のステップＳ３０４の看護ワークシート出力処理の詳細を示すフローチャートに対応する。なお、このフローチャートの処理はクライアント装置１０２のＣＰＵ２０１が外部メモリ２０９に格納されるプログラムをＲＡＭ２０２にロードして実行することにより実現される。尚、この処理は看護師の入��部２０５操作による、看護ワークシート出力要求に応じて行われる処理である。【００４５】  まず、ＣＰＵ２０１は、看護ワークシート出力要求を行った看護師の情報を取得する（ステップＳ５０１）。この情報は、実際には、例えば電子カルテアプリケーションの起動時に行うログイン処理の際に入力されたＩＤ、パスワード等により認証することで取得することになる。そして、ステップＳ５０１で取得した看護師が担当看護師となっている管理サーバ１０１が記憶管理する看護指示情報のうち、指定処置日の看護指示情報を取得する（ステップＳ５０２）。【００４６】  その後、ステップＳ５０２で取得した看護指示情報で指定された処置に応じた看護結果記入欄情報を生成する。複数の処置を指示されている場合には、それらすべてに対する結果記入欄を生成することになる（ステップＳ５０３）。【００４７】  そして、その後、管理サーバ１０１で記憶管理されている不図示の看護実施情報テーブルから指定された処置日から過去一定期間の看護実施情報を取得する（ステップＳ５０４）。この情報は看護師が患者に対する処置を行う際に、直近でどのような処置を行ったかを確認できるようにするために看護ワークシートともに印刷されることになる。【００４８】  その後、ＣＰＵ２０１は、ステップＳ５０２からステップＳ５０４で取得した情報を含む看護ワークシートの印刷データを作成し（ステップＳ５０５）、その印刷データをプリンタ１０３に送信する（ステップＳ５０６）。印刷データを受信したプリンタからは、図１０に示す看護ワークシートと、当該患者の過去一定期間における看護実施情報とが印刷出力されることになる。【００４９】  以上が、図３のステップＳ３０４の看護ワークシート出力処理の説明である。【００５０】  図１０は、図５の看護ワークシート出力処理を行った結果出力される看護ワークシートの構成の一例を示す図である。【００５１】  看護ワークシート１０００には少なくとも、識別情報１００１、看護指示内容表示欄１００２、看護実施内容記入欄１００３、所見記入欄１００４が設定されることになる。【００５２】  識別情報１００１には、例えば、当該患者の担当医師により登録された看護指示情報を一意に識別するための情報を示すバーコード情報が印刷出力されることになる。【００５３】  看護指示内容表示欄１００２には、管理サーバ１０１で記憶されている看護指示情報テーブル中の、指定処置日に当該患者に対して実施するよう指示されている処置の内容が印刷されることになる。実施内容入力欄１００３には、処置内容表示欄に表示されている処置に応じた処置結果の入力欄が設定されることになる。この入力欄には手書き入力が可能であり、この欄に実際に行った処置の内容を看護師は記入することになる。この欄に手書き入力された情報が後述する看護結果登録処理を実施することで、管理サーバ１０１で記憶管理されている不図示の看護実施情報テーブルに登録されることになる。尚、この看護内容入力欄は手書き以外の入力が行えるように、例えばマークシート方式での入力が可能なように構成しても勿論構わない。【００５４】  １００４は所見記入欄であって、看護師は、患者に対する処置を行った際の所見を記入することになる。この所見記入欄に記入された情報も、看護結果登録処理を行うことにより、看護実施情報テーブルに登録されることになる。【００５５】  以上が、図１０に示す看護ワークシートの説明である。【００５６】  図６は、本発明における第１の制御処理の一例を示すフローチャートであり、図３のステップＳ３０６の看護結果登録処理の詳細を示すフローチャートである。なお、このフローチャートの処理はクライアント装置１０２のＣＰＵ２０１が外部メモリ２０９に格納されるプログラムをＲＡＭ２０２にロードして実行することにより実現される。【００５７】  まず、クライアント装置１０２を操作する看護師の入力部２０７操作により、看護ワークシートの読み取り指示の入力を受け付けたかを判断する（ステップＳ６０１）。尚、本発明の看護実施情報の入力は看護ワークシートを読み取り、その記入情報を文字認識等することで行うものとして説明するが、それ以外の方法を採用しても構わないことは言うまでもない。【００５８】  そして、看護ワークシートの読み取り指示の入力を受け付けたと判断した場合に（ステップＳ６０１でＹＥＳ）、看護ワークシート指示をスキャナ１０４に対して行うことになる（ステップＳ６０２）。そしてその後、ステップＳ６０２の読み取り指示に応じたスキャナ１０４での読み取り処理により作成された画像データをスキャナ１０４から取得する（ステップＳ６０３）。【００５９】  そしてその後、スキャナ１０４から取得した画像データの全てのページデータに対してステップＳ６０４からＳ６０８の処理を行うことになる。まず公知の帳票認識技術等を用いて、画像データが看護ワークシートに基づいて生成されたものであるかを判定する（看護ワークシートデータ？：ステップＳ６０４）。【００６０】  ステップＳ６０４の判断処理の結果、看護ワークシートデータであると判断した場合（ステップＳ６０４でＹＥＳ）、識別情報１００１を認識し、認識の結果得られた看護指示の識別情報（看護指示ＩＤ）に基づいて看護指示情報テーブルを検索し、当該看護指示情報に紐付けられている患者情報を取得する（ステップＳ６０５）。【００６１】  次に、看護ワークシート画像データ中の実施内容入力欄１００３を文字認識処理することにより看護実施情報を取得する（ステップＳ６０６）。そして、登録リストデータに追加する（ステップＳ６０７）。【００６２】  一方、ステップＳ６０４の判断処理で看護ワークシートデータではないとＣＰＵ２０１が判断した場合には（ステップＳ６０４でＮＯ）、処理をステップＳ６０８に進め、確認データリストに当該データを追加する。【００６３】  そして、画像データの全てのページデータに対してステップＳ６０４からステップＳ６０８の処理を終了後、ステップＳ６０８で確認データリストに追加されたすべての画像データに対してステップＳ６０９からステップＳ６１３の処理を繰り返すことになる。【００６４】  ステップＳ６０９において、確認データとされた画像データを１件表示する。そして、看護結果登録要求を行った看護師の入力部からの操作に基づき確認画像データが看護ワークシートデータであるかを判断する（ステップＳ６１０）。看護ワークシートデータであると判断した場合には（ス���ップＳ６１０でＹＥＳ）、画像データ中の識別情報１００１の位置指定の入力を受け付けその指定された箇所のバーコードデータを認識して識別情報１００１を認識し、認識の結果得られた看護指示の識別情報（看護指示ＩＤ）に基づいて看護指示情報テーブルを検索し、当該看護指示情報に紐付けられている患者情報を取得する（ステップＳ６１１）。尚、識別情報は画像認識により取得しなくても、例えば看護師による入力部２０７の操作に基づいて取得しても勿論構わない。【００６５】  その後、看護ワークシート画像データから看護実施情報を取得する（ステップＳ６１２）。なお、看護実施情報を取得するための文字認識に先立って、文字認識を行う領域の指定を受け付け、受け付けた領域に対して文字認識を行うことになる。また、文字認識により看護実施情報を取得しなくとも、例えば、看護師により入力部２０７操作に基づく入力処理により看護実施情報を取得しても勿論構わない。そして、当該データを登録データリストに追加する（ステップＳ６１３）。【００６６】  すべての確認データに対して、ステップＳ６０９からステップＳ６１３処理が終了後、登録データリストに追加されたすべての登録データに対してステップＳ６１４からステップＳ６２０の処理を行うことになる。尚、登録データは、看護指示ＩＤ及び看護実施情報が少なくとも含まれるものとする。【００６７】  まず、ＣＰＵ２０１は、看護実施情報が示す看護実施内容を表示部２０５に表示する（ステップＳ６１４）。そして、看護師に内容を確認させ、看護実施情報に修正の必要があるかの入力を受け付ける（ステップＳ６１５）。そして受け付けた入力に基づき修正の必要があると判断した場合には（ステップＳ６１５でＹＥＳ）、修正の入力を受け付ける（ステップＳ６１６）。そして、看護実施情報を管理サーバ１０１が記憶管理している看護実施情報テーブルに登録する（ステップＳ６１７）。この際には看護指示ＩＤと看護実施情報とが看護実施テーブルに少なくとも登録されることになる。その際に看護実施ＩＤが付与されることになる。【００６８】  その後、登録データに含まれる看護指示ＩＤに検索キーにして看護指示情報テーブルを検索し、当該看護実施情報に対応する看護指示情報を取得する（ステップＳ６１８）。そして、看護指示情報が示す看護指示内容と、看護実施情報が示す看護指示内容とを比較し、それらの内容が一致しているかを判断する（ステップＳ６１９）。ステップＳ６１９の判断処理の結果、一致していないと判断した場合には（ステップＳ６１９でＮＯ）、管理サーバ１０１が管理している不一致リストテーブルに、看護指示ＩＤと看護実施ＩＤの対および、看護指示情報により特定される看護指示を行った医者の情報を登録することになる（ステップＳ６２０）。以上が図３のステップＳ３０６の看護結果登録処理の説明である。【００６９】  図７は、本発明における第５の制御処理の一例を示すフローチャートであり、図３のステップＳ３０８の看護結果確認処理の詳細を示すフローチャートに対応する。なお、このフローチャートの処理はクライアント装置１０２のＣＰＵ２０１が外部メモリ２０９に格納されるプログラムをＲＡＭ２０２にロードして実行することにより実現される。尚、この処理は医師の入力部２０５操作による、看護結果確認要求に応じて行われる処理である。【００７０】  まずＣＰＵ２０１は、当該看護結果確認要求を行った医師に対応する不一致データが、管理サーバ１０１が管理している不一致リストテーブルに登録されているかを判断する（ステップＳ７０１）。尚、医師を識別するための情報については、電子カルテアプリケーションの起動時に行うログイン処理の際に入力されたＩＤ、パスワード等により行われる認証処理により既に取得されているものとする。当該医師に対応する不一致データがないと判断した場合には（ステップＳ７０１でＮＯ）、処理をステップＳ７１０に進める。【００７１】  一方、不一致リストテーブルに当該医師に対応する不一致データが登録されていると判断した場合には（ステップＳ７０１でＹＥＳ）、確認要求を行った医師に対応する不一致データを不一致リストテーブルから取得し（ステップＳ７０２）、その情報を確認リスト表示画面１１００にリスト表示する（ステップＳ７０３）。そして、その後全ての不一致データについての確認が終了した（ステップＳ７０４でＹＥＳ）と判断するまで、ステップＳ７０４からステップＳ７０９の処理を繰り返すことになる。【００７２】  図１１は、確認リスト表示画面の一例を示す図である。確認リスト表示画面１１００は、医師が行った指示と異なる処理を行った患者の情報を医師に対して知らせるために、表示される画面である。【００７３】  図中のリスト表示欄１１０１には、医師が行った指示と異なる処理を行った患者の氏名情報１１０１−１、その患者に対する処理日１１０１−２、及び担当看護師情報１１０１−３が表示される。そして、このリストに表示されているデータの中からいずれかを選択すると、当該データに関する看護結果確認画面９００が表示されることになる。このことにより、好適に医師に医師が行った指示と異なる処理を行った患者の情報を通知することが可能となる。以上が図１１に示す確認リスト表示画面の説明である。【００７４】  図７の説明に戻る。その後、ＣＰＵ２０１は確認リスト表示画面を介して、内容の確認を行う不一致データの指定を受け付ける（ステップＳ７０５）。そして受け付けた不一致データの表示を行う（ステップＳ７０６）。この際には図９に示す看護実施結果確認画面９００がクライアント装置１０２の表示部２０７に表示されることになる。【００７５】  図９は、看護実施結果確認画面の一例を示す図である。この画面は医師による入院患者の看護実施結果の確認に使用され、医師は看護実施結果を確認した場合に、この画面を介して確認の入力を行うことになる。【００７６】  図中９０１は患者名表示欄であって、当該看護を実施された患者の氏名が表示される。９０２は処置日表示欄であって、患者氏名表示欄９０１に表示されている患者に対し、この画面の実施内容表示欄９０５に示す処置を行った処置日が表示される。９０３は担当看護師名表示欄であって、当該患者の担当看護師の氏名が表示される。【００７７】  ９０４は看護指示内容表示欄であって、当該患者に対する看護指示として医師が入力した看護指示情報が表示される。９０５は看護実施内容表示欄であって、看護師が患者に対��て行った看護実施情報が表示される。尚、看護指示情報と看護実施情報とで内容に違いがある箇所については、図中の９０５−１や９０５−２のように他の項目とは表示形態を異ならせた表示を行うことになる。このように、看護指示情報と看護実施情報とで内容に違いがある箇所を他の項目と表示を異ならせることにより、医師は、指示をした内容とは異なる処置が行われた場合に、その処置を容易に認識することが可能となる。【００７８】  ９０６は備考入力欄であって、医師が備考入力を行うために使用する入力欄である。９０７は確認ボタンであり、このボタンが押下されることで、当該看護実施情報についての確認を医師が行ったという情報が、管理サーバ１０１で管理されている介護実施情報テーブルに登録されることになる。【００７９】  以上が、図９に示す看護結果確認画面９００の説明である。【００８０】  図７の説明に戻る。そして、ＣＰＵ２０１は看護結果確認画面９００の確認ボタン９０７の押下を受け付けることにより看護結果確認の入力を受け付け（ステップＳ７０７）、確認入力を受け付けた不一致データを管理サーバ１０１で管理している不一致リストテーブルから削除する（ステップＳ７０８）。その後、看護実施情報テーブル中の当該レコード中の確認情報フラグを設定する（ステップＳ７０９）。【００８１】  その後、ステップＳ７０４でＹＥＳと判断した場合には、ステップＳ７１０に処理を進め、不一致データ以外も含めた看護実施情報をリスト表示し、詳細を確認する看護実施情報の指定を受け付ける。看護実施情報の指定を受け付けた（ステップＳ７１０でＹＥＳ）と判断した場合には、指定された情報を看護結果確認画面９００に表示する（ステップＳ７１１）。そしてその後、看護結果確認画面９００の確認ボタン９０７が押下されると（ステップＳ７１２でＹＥＳ）、ＣＰＵ２０１は備考入力欄９０６に入力されたデータを取得して（ステップＳ７１３）、当該取得したデータを、看護実施情報テーブル中の指定データのレコード中の備考データとして登録する（ステップＳ７１４）。そして、そのレコード中の確認情報フラグを設定する（ステップＳ７１５）。そして、上記の処理をステップＳ７１６で終了指示を受け付けたと判断するまで繰り返すことになる。【００８２】  以上が、図３のステップＳ３０８の看護結果確認処理の詳細である。【００８３】  本発明では、看護実施情報を登録する際に、当該看護実施情報と関連する看護指示情報と内容が一致するかを判断し、一致しないと判断した場合には、看護指示を行った医師の情報とともに不一致リストに登録しておく。そして、その医師が電子カルテシステムを使用し、看護実施結果の確認を行う際に、まず指示と実施とが一致しないデータのリストを表示させ全ての不一致データについて実施内容の確認処理を行わせることになる。【００８４】  これにより、患者のカルテデータを一つひとつ確認しなくても、指示と実施とが不一致のデータについて医師は認識することが可能となり、効率的に看護実施内容の確認を行うことが可能となる。【００８５】  以上、実施形態例を詳述したが、本発明は、例えば、システム、装置、方法、プログラムもしくは記憶媒体等としての実施態様をとることが可能���あり、具体的には、複数の機器から構成されるシステムに適用しても良いし、また、一つの機器からなる装置に適用しても良い。【００８６】  以上説明した情報処理装置は、その機能をコンピュータが実現する手順としての方法の発明として捉えることができる。また、コンピュータにより実現できるわけであるから、本発明はコンピュータで実行されるコンピュータプログラム、更には、そのコンピュータプログラムを格納し、コンピュータが読み込めるＣＤ−ＲＯＭ等のコンピュータ可読記憶媒体にも適用できるのは明らかであろう。【００８７】  尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。【００８８】  従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。【００８９】  その場合、プログラムの機能を有していれば、オブジェクトコード、インタプリタにより実行されるプログラム、ＯＳに供給するスクリプトデータ等の形態であっても良い。【００９０】  プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。【００９１】  その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、夫々のファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。【００９２】  また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。【００９３】  また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。【００９４】  さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００９５】
【図１】  本発明の電子カルテシステムのシステム構成の一例を示す図である。
【図２】  図１に示すクライアント装置１０２のハードウェア構成の一例を示す図である。
【図３】  クライアント装置１０２によって行われる処理の概要を示すフローチャートである。
【図４】  図３のステップＳ３０２の看護指示入力処理の詳細を示すフローチャートである。
【図５】  図３のステップＳ３０４の看護ワークシート出力処理の詳細を示すフローチャートである。
【図６】  図３のステップＳ３０６の看護結果登録処理の詳細を示すフローチャートである。
【図７】  図３のステップＳ３０８の看護結果確認処理の詳細を示すフローチャートである。
【図８】  看護指示入力画面８００の構成の一例を示す図である。
【図９】  看護結果確認画面９００の構成の一例を示す図である。
【図１０】  看護ワークシートの構成の一例を示す図である。
【図１１】  確認リスト表示画面１１００の構成の一例を示す図である。
【符号の説明】
【００９６】１０１  管理サーバ
１０２−１  １０２−２  クライアント装置
１０３  プリンタ
１０４  スキャナ
１０５  複合機
１０６  ローカルエリアネットワーク（ＬＡＮ）
【図１】
2010157168.tif 000003
【図２】
2010157168.tif 000004
【図３】
2010157168.tif 000005
【図４】
2010157168.tif 000006
【図５】
2010157168.tif 000007
【図６】
2010157168.tif 000008
【図７】
2010157168.tif 000009
【図８】
2010157168.tif 000010
【図９】
2010157168.tif 000011
【図１０】
2010157168.tif 000012
【図１１】
2010157168.tif 000013